(57)【要約】【課題】電磁波ノイズの送信や受信を抑制する。【解決手段】熱源５１と、熱源５１を収容する、密閉構造の防塵筐体１４５と、熱源５１が発する熱を吸収し、該吸収した熱を防塵筐体１４５の外部へ放出する熱交換部５３と、熱交換部５３をグラウンド５４に接地する接地部５２と、を有する。【選択図】図１
2019204052.tif 000002
【特許請求の範囲】
【請求項１】
熱源と、
前記熱源を収容する、密閉構造の防塵筐体と、
前記熱源が発する熱を吸収し、該吸収した熱を前記防塵筐体の外部へ放出する熱交換手段と、
前記熱交換手段をグラウンドに接地する接地手段と、を有する、電子機器。
【請求項２】
前記熱交換手段は、前記熱を吸収する吸熱手段と、該吸収した熱を前記防塵筐体の外部へ放出する放熱手段と、を有し、前記吸熱手段と前記放熱手段とは電気的に接続している、請求項１に記載の電子機器。
【請求項３】
前記吸熱手段は前記防塵筐体内に設けられ、前記放熱手段は前記防塵筐体外に設けられている、請求項２に記載の電子機器。
【請求項４】
前記防塵筐体は、前記防塵筐体内の空気を循環する循環ファンをさらに有し、前記吸熱手段は、前記循環ファンを保持する循環ファン保持部材を介して前記防塵筐体の底面部と電気的に接続している、請求項２または３に記載の電子機器。
【請求項５】
前記放熱手段は、前記防塵筐体の底面部と前記防塵筐体を収容する装置筐体の底面部との間に設けられたシールド部材と電気的に接続している、請求項２または３に記載の電子機器。
【請求項６】
前記吸熱手段と前記循環ファン保持部材とはバネ部材を用いて接続しており、前記バネ部材は、第一曲げ部、第二曲げ部、および第三曲げ部を有し、前記第一曲げ部と前記循環ファン保持部材とが接続し、前記第二曲げ部材と前記吸熱手段とが接続し、前記第三曲げ部と前記防塵筐体の底面部とが接続する、請求項４に記載の電子機器。
【請求項７】
前記バネ部材は、位置決め凸部と逆付け防止凹部とをさらに有し、前記循環ファン保持部材は、位置決め開口部と逆付け防止凸部とを有しており、前記吸熱手段と前記循環ファン保持部材とが接続するとき、前記位置決め凸部と前記位置決め開口部とが嵌合し、前記逆付け防止凹部と前記逆付け防止凸部とが嵌合する、請求項６に記載の電子機器。
【請求項８】
光源と
前記光源から出射された光を変調して画像を形成する光学エンジンと、
前記光学エンジンが形成した画像を投写する投写手段と、を有し、
前記熱源は、少なくとも前記光学エンジンを含む、請求項１から７のいずれか１項に記載の電子機器。
【発明の詳細な説明】
【技術分野】
【０００１】
本発明は、防塵構造を備えた電子機器に関するものである。
【背景技術】
【０００２】
光源装置と、当該光源装置の射出光を画像情報に応じて変調することで画像を形成する光変調装置と、当該画像をスクリーン等の被投写面上に拡大投写する投写光学系とを備えた投写型表示装置（以下、プロジェクターともいう。）が知られている。投写型表示装置は、電子機器の一例である。
近年、プロジェクターに対する製品寿命の長期化が要求されている。製品寿命の長期化のためには、プロジェクターを構成する光学素子に対する塵埃の付着を防止することと、光学素子自身の耐久性が必要になる。
【０００３】
プロジェクターは、さらに、光変調装置を制御する制御部や、光源装置および制御部に電力を供給する電源装置等を備えている。これら光変調装置や電源装置は、熱を発生する熱源である。一方で、プロジェクターには、熱に弱い電子部品も数多く使用されている。このため、プロジェクターの光学性能を維持させるためには、これらの電子部品を適切に冷却することも非常に重要になってくる。
特許文献１には、密閉構造の防塵筐体及び冷却機能を備えたプロジェクターが記載されている。このプロジェクターは、投写レンズ等を収容する密閉構造の筐体と、筐体内に設けられた吸熱フィンと、筐体外に設けられた放熱フィンと、吸熱フィンと放熱フィンとを、筐体を貫通して接続し熱移動をするヒートパイプと、を有する。吸熱フィン、放熱フィン及びヒートパイプからなる部分が、冷却装置である。
【先行技術文献】
【特許文献】
【０００４】
【特許文献１】特開２０１０−１０７６３１号
【発明の概要】
【発明が解決しようとする課題】
【０００５】
しかし、特許文献１に記載のプロジェクターにおいて、冷却装置は接地されていないため、ヒートパイプ自身が、電磁波ノイズを送信又は受信するアンテナとして機能する場合がある。例えば、ヒートパイプが、プロジェクターの周辺に配置されている電子機器から発せられる電磁波ノイズを受信するアンテナとして機能してしまう場合がある。
【０００６】
本発明の目的は、上記問題を解決し、電磁波ノイズの送信や受信を抑制することが可能な電子機器を提供することである。
【課題を解決するための手段】
【０００７】
本発明の電子機器は、熱源と、前記熱源を収容する、密閉構造の防塵筐体と、前記熱源が発する熱を吸収し、該吸収した熱を前記防塵筐体の外部へ放出する熱交換手段と、前記熱交換手段をグラウンドに接地する接地手段と、を有する。
【発明の効果】
【０００８】
本発明によれば、電磁波ノイズの送信や受信を抑制することが可能な電子機器を得ることができる。
【図面の簡単な説明】
【０００９】
【図１】本発明の第１実施形態の電子機器の概略構成を示す模式図である。
【図２Ａ】本発明の第２実施形態によるプロジェクターの外観を示す斜視図である。
【図２Ｂ】図２Ａを、鉛直方向を回転軸として反時計方向に９０°回転させたプロジェクターの外観を示す斜視図である。
【図３】第２実施形態のプロジェクターの装置筐体の上側を取り外したときの外観を示す斜視図である。
【図４】第２実施形態のプロジェクターの装置筐体を取り外したときの外観を示す斜視図である。
【図５】第２実施形態のプロジェクターの防塵筐体の上側を取り外したときの外観を示す斜視図である。
【図６】第２実施形態のプロジェクターの概略構成を示す模式図である。
【図７Ａ】第２実施形態のプロジェクターを構成する熱交換器吸熱部および熱交換器放熱部を装置筐体の底面に取り付ける状態を説明する組立図である。
【図７Ｂ】図７ＡのＢ部分（熱交換器放熱部をシールド板金に金属接続バネで接続する部分）を説明する斜視図である。
【図７Ｃ】図７ＡのＣ部分（熱交換器放熱部をシールド板金に金属接続バネで接続する部分）を説明する図である。
【図８】図７ＡのＫ−Ｋ断面図である。
【図９】熱交換器吸熱部および熱交換器放熱部を装置筐体の底面部に取り付けた後の図７ＡのＫ−Ｋ断面図である。
【図１０】金属接続バネを使用して熱交換器吸熱部を循環ファンホルダに取り付ける状態を説明する斜視図である。
【図１１】図１０のＦ−Ｆ断面図である。
【図１２Ａ】金属接続バネの外観を拡大した斜視図である。
【図１２Ｂ】循環ファンホルダの金属接続バネを取り付ける部分の要部を拡大した斜視図である。
【図１３Ａ】図１２Ａの金属接続バネの外観を矢印Ｒ方向から見た斜視図である。
【図１３Ｂ】図１２Ｂの循環ファンホルダの金属接続バネを取り付ける部分の要部を矢印Ｒ方向から見た斜視図である。
【図１４】熱交換器吸熱部および熱交換器放熱部を循環ファンホルダに取り付けた後の外観を示す斜視図である。
【図１５】図１４の熱交換器吸熱部および熱交換器放熱部を循環ファンホルダに取り付けた後の外観を矢印Ｓ方向から見た斜視図である。
【発明を実施するための形態】
【００１０】
次に、本発明の実施形態について図面を参照して説明する。
（第１実施形態）
図１は、本発明の第１実施形態による電子機器の概略構成を説明する模式図である。
図１に示すように、本実施形態の電子機器１０は、熱源５１と、防塵筐体１４５と、熱交換部５３と、接地部５２と、有するものである。
密閉構造の防塵筐体１４５は、熱源５１を収容するものである。熱交換部５３は、熱源５１が発する熱を吸収し、この吸収した熱を防塵筐体１４５の外部へ放出するものである。接地部５２は、熱交換部５３をグラウンド５４に接地するものである。
本実施形態の電子装置によれば、熱交換部５３は接地されているので、この熱交換部５３が電磁波ノイズを送信又は受信するアンテナとして作用することはない。
【００１１】
（第２実施形態）
図２Ａは、本発明の第２実施形態によるプロジェクターの外観を示す斜視図である。図２Ｂは、図２Ａを、鉛直方向を回転軸として反時計方向に９０°回転させた場合の、プロジェクターの外観を示す斜視図である。なお、以下の図面において、プロジェクター１００を載置したときに、上方向をＺ軸方向、投写レンズ１３２から映像等が図示しないスクリーン上に拡大投写される方向をＸ軸方向、Ｘ軸方向からＺ軸を回転軸として反時計方向に９０°回転させた方向をＹ軸として以下説明する。
【００１２】
図２Ａ、図２Ｂに示すように、プロジェクター１００は、装置筐体１０１と装置筐体１０２とを取り付けた状態で構成されている。図２Ｂに示すように、プロジェクター１００は、プロジェクター１００内の光学部材で発生する熱を冷却するために、プロジェクター１００の外部から内部に空気を流入させるための吸気口１２１、１２２を有している。また、図２Ａ、図２Ｂに示すように、プロジェクター１００内の光学部材で発生する熱をプロジェクター１００の内部から外部に排出する排気口１１１、１１２を有している。
図２Ａ、図２Ｂでは、プロジェクター１００が、吸気口と排気口とを、それぞれ２個ずつ有している場合について例示しているが、吸気口と排気口との数は、任意である。
【００１３】
次に、本実施形態のプロジェクターの装置筐体の上側を取り外したときの外観と、プロジェクターの装置筐体を取り外したときの外観について説明する。図３は、本実施形態のプロジェクターの装置筐体の上側（装置筐体１０１）を取り外したときの外観を示す斜視図である。図４は、本実施形態のプロジェクターの装置筐体の上側（装置筐体１０１）および下側（装置筐体１０２）を取り外したときの外観を示す斜視図である。
図３、図４に示すように、装置筐体１０１、１０２は、内部に、光源１３１と、投写レンズ１３２と、制御基板１６１と、防塵筐体１４３、１４４と、熱交換器放熱部１５１、１５２と、放熱ファン１４１、１４２と、を有している。
光源１３１は、レーザーダイオード（ＬＤ：Laser Diode）等の光源、レンズ、および特定の波長の光を反射し、その他の波長の光を透過するダイクロイックミラーなどの光学素子を有している。投写レンズ１３２は、映像等を図示しないスクリーンに拡大投写するものである。
【００１４】
制御基板１６１は、プロジェクター１００の動作を制御する制御部や、後述する循環ファン、液晶パネルなどの電源や、循環ファンや液晶パネルなどに電源を供給する通電ケーブルを接続する部材などを有している。
防塵筐体１４３、１４４は、後述する光学エンジン、循環ファンホルダ、熱交換器吸熱部などを有している。放熱ファン１４１、１４２は、吸気口１２１、１２２に対向して設けられており、熱交換器放熱部１５１、１５２は、放熱ファン１４１、１４２に対向して設けられている。
【００１５】
放熱ファン１４１、１４２は、回転することで吸気口１２１、１２２から空気を取り入れる。取り入れた空気は、防塵筐体１４３、１４４内で発生した熱が伝導された熱交換器放熱部１５１、１５２に当たる。空気が当たることで熱交換器放熱部１５１、１５２は冷却され、熱交換器放熱部１５１、１５２から発せられた熱風は、排気口１１１、１１２から装置筐体１０１、１０２の外部に排出される。
【００１６】
次に、本実施形態のプロジェクターの防塵筐体の上側を取り外したときの外観について説明する。図５は、本実施形態のプロジェクターの防塵筐体の上側を取り外したときの外観を示す斜視図である。
図５において、防塵筐体１４３、１４４は、内部に、光学エンジン１８５と、循環ファンホルダ１８１と、熱交換器吸熱部１７１と、を有している。
光学エンジン１８５は、色分離光学系と、色合成系と、を有し、光源１３１から出射される光を画像信号に応じて光を変調して画像を形成する。色分離光学系は、光源１３１から射出された光の偏光を揃える光学部品（ＰＢＳ：Polarizing Beam Splitter（偏光ビームスプリッタ））を経由して、Ｒ（赤色）、Ｇ（緑色）、Ｂ（青色）に色分離するためのダイクロイックミラーや反射ミラー等から構成されている。色合成系は、ＲＧＢ各色に対して映像を生成する液晶パネル部１８６などから構成される。なお、ここで、液晶パネル部１８６は、入射側偏光板と、液晶パネルと、出射側偏光板とを含む。
循環ファンホルダ１８１は、後述するように、防塵筐体１４３、１４４内の空気を循環する循環ファンを内蔵する。循環ファンホルダ１８１は、金属接続バネを介して熱交換器吸熱部１７１に取り付けられる。
熱交換器吸熱部１７１は、後述するように、防塵筐体１４３、１４４内で発生した熱を吸収し、ヒートパイプを通じて当該熱を熱交換器放熱部１５１、１５２に伝導する。
【００１７】
次に、本実施形態のプロジェクターの概略構成について説明する。図６は、本実施形態のプロジェクターの概略構成を示す模式図である。なお、図６では、吸気口１２０と排気口１１０とが、装置筐体１０３の互いに対向する面に設けられており、上記した図２Ｂ、図３と比較すると、吸気口１２０と排気口１１０との位置関係が異なっている。これは、図６は、防塵筐体１４５内で発生する熱の伝わり方と、吸気口１２０と排気口１１０との関係を説明する模式図であり、吸気口１２０と排気口１１０との間の正確な位置関係を表すものではない。
【００１８】
図６において、プロジェクター１００は、吸気口１２０と、排気口１１０と、制御基板１６０と、放熱ファン１４０と、熱交換器放熱部１５０と、投写レンズ１３２と、防塵筐体１４５と、アース１９５に接地されたシールド板金１９６と、を有している。
防塵筐体１４５は、熱交換器吸熱部１７０と、循環ファン１８２と、送風ダクト１４８と、上記した色分離光学系を構成する合成プリズム１８３と、上記した色合成系を構成する液晶パネル１８４と、を有している。ここで、合成プリズム１８３と液晶パネル１８４とは、図５で説明した光学エンジン１８５の一部を構成している。光学エンジン１８５は、送風ダクト１４８の上部の空間に設けられている。
【００１９】
循環ファン１８２は、循環ファン通電ケーブル１４６を通じて制御基板１６０に設けられた電源に接続される。液晶パネル１８４は、液晶パネル通電ケーブル１４７を通じて制御基板１６０に設けられた電源に接続される。熱交換器吸熱部１７０と熱交換器放熱部１５０とは、熱交換器ヒートパイプ１８０を通じて接続される。
熱交換器吸熱部１７０は、金属接続１９１を通じて防塵筐体１４５に接続される。防塵筐体１４５は、金属接続１９２、１９３を通じてアース１９５に接地されたシールド板金１９６に接続される。また、熱交換器放熱部１５０は、金属接続１９４を通じてアース１９５に接地されたシールド板金１９６に接続される。この点については後に詳説する。
【００２０】
次に、防塵筐体１４５内で発生する熱の循環について説明する。送風ダクト１４８の上部の空間に設けられた光学エンジン１８５を構成するＰＢＳ、液晶パネル部１８６は、光の一部を吸収することで発熱する。そこで、循環ファン１８２を回転させることで光学エンジン１８５の下部に設けられた送風ダクト１４８の吸気口１２３に空気を流入する。送風ダクト１４８の排気口１１３から放出した空気を用いて送風ダクト１４８の上部の空間に設けられた光学エンジン１８５を冷却する。光学エンジン１８５を冷却した後の高温になった空気は、循環ファン１８２の吸気口近傍に設けられた熱交換器吸熱部１７０を通過する。熱交換器吸熱部１７０で吸収した熱は、熱交換器ヒートパイプ１８０を通じて防塵筐体１４５の外部に設けられた熱交換器放熱部１５０に伝導する。
放熱ファン１４０が回転することで、装置筐体１０３に設けられた吸気口１２０から装置筐体１０３の外部の空気を装置筐体１０３の内部に流入させる。放熱ファン１４０は、装置筐体１０３の内部に流入した空気を用いて、熱交換器放熱部１５０に伝導した熱を、装置筐体１０３に設けられた排気口１１０から装置筐体１０３の外部へ放出する。
【００２１】
次に、防塵筐体１４５の密閉構造について説明する。防塵筐体１４５は、熱交換器吸熱部１７０、循環ファン１８２、および光学エンジン１８５を収容した状態で密閉されている。しかしながら、液晶パネル通電ケーブル１４７と循環ファン通電ケーブル１４６とは、防塵筐体１４５を貫通している。液晶パネル通電ケーブル１４７と循環ファン通電ケーブル１４６とは、制御基板１６０に設けられた液晶パネル１８４、循環ファン１８２の電源に所定の部材を用いて接続される。また、熱交換器吸熱部１７０と熱交換器放熱部１５０とを接続する熱交換器ヒートパイプ１８０も、防塵筐体１４５を貫通している。
この場合、防塵筐体１４５に形成された液晶パネル通電ケーブル１４７と循環ファン通電ケーブル１４６とを通すための通し穴の周囲、および熱交換器ヒートパイプ１８０の通し穴の周囲の僅かな隙間から塵埃が侵入することを防止する対策を行っている。例えば、通し穴の周囲にクッション、ゴム、パッキン、接着剤などの隙間埋め部材を用いて隙間を埋めることを行っている。さらに、通し穴の周囲だけでなく、隙間埋め部材自体と防塵筐体１４５との間の隙間も埋めるようにしている。
【００２２】
このような構成において、熱交換器放熱部１５０と熱交換器吸熱部１７０とは、熱交換器ヒートパイプ１８０を介して防塵筐体１４５に保持されており、電気的に浮いた状態となる。要するに、熱交換器放熱部１５０と熱交換器吸熱部１７０とは、グラウンドに接続されていないので、アンテナとして作用することでノイズを集め易くなる。
一般的に、電気的に浮いている導体（例えば、所定の長さを有する金属部品）は、それ自体がアンテナとして振る舞うこと、および電磁界の結合がし易くなることが知られている。この場合、例えば、周辺機器から発せられる電磁波の影響を受け易くなり、ＥＭＩ（Electro Magnetic Interference：電磁妨害）の問題が生じ易くなる。
【００２３】
周辺機器から発せられる電磁波の影響を受けると、プロジェクター１００の電源回路、駆動系回路、映像系回路に不具合が発生する場合がある。このため、電磁波の影響を抑制することは、プロジェクター１００の性能を維持するためにも非常に重要となる。本実施形態では、防塵筐体１４５内の熱交換器吸熱部１７０と防塵筐体１４５とを、金属接続１９１を用いて電気的に接続している。また、防塵筐体１４５とアース１９５に接地されたシールド板金１９６とを、金属接続１９２、１９３を用いて電気的に接続している。さらに、熱交換器放熱部１５０とアース１９５に接地されたシールド板金１９６とを、金属接続１９４を用いて電気的に接続している。すなわち、電気的に浮いている導体である熱交換器吸熱部１７０と熱交換器放熱部１５０とをアース１９５（グラウンド）に接地することとしている。この構成を用いることで、プロジェクター１００は、周辺に配置されている電子機器から発せられる電磁波の影響を受け難くなる。
【００２４】
次に、本実施形態のプロジェクターを構成する熱交換器吸熱部および熱交換器放熱部を装置筐体の底面に取り付ける方法について説明する。図７Ａは、熱交換器吸熱部および熱交換器放熱部を装置筐体の底面に取り付ける状態を説明する組立図である。図７Ｂは、図７ＡのＢ部分（熱交換器放熱部をシールド板金に金属接続バネで接続する部分）を説明する斜視図である。図７Ｃは、図７ＡのＣ部分（熱交換器放熱部をシールド板金に金属接続バネで接続する部分）を説明する図である。図８は、図７ＡのＫ−Ｋ断面図である。図９は、熱交換器吸熱部および熱交換器放熱部を装置筐体の底面部に取り付けた後の図７ＡのＫ−Ｋ断面図である。
【００２５】
図７Ａ、図８、図９に示すように、熱交換器吸熱部１７１は、循環ファンホルダ１８１に取り付けられた金属接続バネ１１、１２を用いて、循環ファンホルダ１８１を介して防塵筐体底面部１４９と接続する。防塵筐体底面部１４９は、シールド板金１９６を介して装置筐体底面部１０５と共締めを行うことで、シールド板金と接続する。熱交換器放熱部１５１、１５２は、それぞれ金属接続バネ１３、１４を用いてシールド板金１９６と接続する。
そして、図７ＡのＢ部分（熱交換器放熱部１５１をシールド板金１９６に金属接続バネ１３で接続する部分）と、図７ＡのＣ部分（熱交換器放熱部１５２をシールド板金１９６に金属接続バネ１４で接続する部分）の拡大図を図７Ｂ、図７Ｃにそれぞれ示す。
【００２６】
次に、金属接続バネを使用して熱交換器吸熱部を循環ファンホルダに取り付ける方法について説明する。図１０は、金属接続バネを使用して熱交換器吸熱部を循環ファンホルダに取り付ける状態を説明する斜視図である。図１１は、図１０のＦ−Ｆ断面図である。
図１０、図１１に示すように、熱交換器吸熱部１７１と循環ファンホルダ１８１とを金属接続バネ１１、１２を用いて接続する。その際、図１１に示すように、循環ファンホルダ１８１のヒートパイプ保持部１９９を、熱交換器ヒートパイプ１８０が挿入し易くなるように、熱交換器ヒートパイプ１８０の形状に合わせた半円形状にくり抜いた形状にしておく。熱交換器吸熱部１７１を循環ファンホルダ１８１に取り付ける順番は、最初に循環ファンホルダ１８１に金属接続バネ１２を取り付ける。次に、金属接続バネ１２が取り付けられた循環ファンホルダ１８１に熱交換器吸熱部１７１を取り付ける。これにより、金属接続バネ１２と熱交換器吸熱部１７１とは接続される。なお、金属接続バネ１１、１２の形状については以下に説明する。
【００２７】
次に、金属接続バネの外観、および循環ファンホルダの金属接続バネを取り付ける部分の要部について説明する。図１２Ａは、金属接続バネの外観を拡大した斜視図である。図１２Ｂは、循環ファンホルダの金属接続バネを取り付ける部分の要部を拡大した斜視図である。図１３Ａは、図１２Ａの金属接続バネの外観を矢印Ｒ方向から見た斜視図である。図１３Ｂは、図１２Ｂの循環ファンホルダの金属接続バネを取り付ける部分の要部を矢印Ｒ方向から見た斜視図である。
【００２８】
図１２Ａに示すように、金属接続バネ１１、１２は、熱交換器吸熱部１７１に接続される側（図１２ＡのＰ部分）は、以下のような形状となっている。すなわち、図１１において説明した順番で金属接続バネ１１、１２を循環ファンホルダ１８１に取り付けた後に、金属接続バネ１１、１２の左側から熱交換器吸熱部１７１を接続する際、容易に外れないようにするため、図１２Ａの矢印Ｔ方向から見たとき、左側が閉じた略コの字型の形状としている。さらに、金属接続バネ１１、１２に対して熱交器吸熱部１７１を挿入し易くし、かつ、金属接続バネ１１、１２と熱交換器吸熱部１７１とを確実に接続するため。第二曲げ部２２、２４のＰ部分を山折り形状に曲げ、図１２Ａの矢印Ｔ方向から見たときの第二曲げ部２２、２４の形状をテーパー形状としている。
【００２９】
また、金属接続バネ１１、１２の循環ファンホルダ１８１に接続する側（図１２Ａの右側部分）において、位置決めエンボス部２５、２６が、図１２Ｂの循環ファンホルダ１８１の位置決め開口４５、４６に入るように取り付ける。そして、第一曲げ部２１を用いて循環ファンホルダ１８１を挟んで固定する。
熱交換器吸熱部１７１は、図６において説明したように、防塵筐体１４５と熱交換器ヒートパイプ１８０の通し穴の周囲との隙間埋めを行っている。したがって、熱交換器吸熱部１７１は高さ方向（Ｚ軸方向）の位置が固定されており、熱交換器吸熱部１７１を構成するフィンの高さ方向にばらつきが生じる。これに対して、第二曲げ部２２、２４のＰ部分を山折り形状に曲げ、熱交換器吸熱部１７１に金属接触させている。すなわち、第二曲げ部２２、２４は、熱交換機吸熱部１７１の高さ方向のばらつきを吸収するように、熱交換器吸熱部１７１を構成する各フィンの高さに応じてバネ接触している。
さらに、第三曲げ部２３を下方向に谷折り形状に曲げることで、図８において説明したように、第三曲げ部２３は、防塵筐体底面部１４９とバネ接触している。
【００３０】
金属接続バネ１１、１２と循環ファンホルダ１８１とを組み付け、熱交換器吸熱部１７１を組み付け、防塵筐体底面部１４９に組み付ける際、第二曲げ部２２、２４と第三曲げ部２３とは、組み付け前の開いた状態から、組み付け後に閉じる状態になる。そして、第二曲げ部２２、２４と第三曲げ部２３とは、図１２Ａを上から見た場合、互いに位置がずれるように形成されている。これにより、第二曲げ部２２、２４と第三曲げ部２３とを閉じる状態になった場合であっても、第二曲げ部２２、２４と第三曲げ部２３とが当たることを避けている。
また、第二曲げ部２２、２４のＰ部分の山折り形状の先端部分（右端部分）が下方向に押下されることで、循環ファンホルダ１８１に当たり、意図しない方向に曲がることを避けるため、図１２Ｂに示すように、循環ファンホルダ１８１にバネ逃げ部４３を設けている。同様に、第三曲げ部２３のＱ部分の谷折り形状の先端部分（右端部分）が上方向に押下されることで、循環ファンホルダ１８１に当たり、意図しない方向に曲がることを避けるため、図１２Ｂに示すように、循環ファンホルダ１８１にバネ逃げ部４３を設けている。要するに、バネ逃げ部４３は、第二曲げ部２２、２４と循環ファンホルダ１８１との間の干渉、および第三曲げ部２３と循環ファンホルダ１８１との間の干渉を避けるために設けられている。
【００３１】
図１２Ａ、図１３Ａ、および図１２Ｂ、図１３Ｂに示すように、金属接続バネ１１、１２を循環ファンホルダ１８１に取り付ける際、循環ファンホルダ１８１の逆付け防止用リブ４７が、金属接続バネ１１、１２の逆付け防止用開口２７に嵌るようにしている。そして、金属接続バネ１１、１２が、上下逆向きに取り付けられることを防止するため、以下のような工夫をしている。すなわち、金属接続バネ１１、１２の逆付け防止用開口２７と、循環ファンホルダ１８１の逆付け防止用リブ４７とを、図１３Ｂに示すように循環ファンホルダ１８１の開口部（Ｎ部分）の中心線Ｍ−Ｍから矢印Ｌ方向にずれた位置に形成するようにしている。これにより、金属接続バネ１１、１２の循環ファンホルダ１８１に対する誤挿入を防止することができる。
【００３２】
金属接続バネ１１、１２の材料としては以下のようなものが好ましい。金属接続バネ１１、１２は変形量が多いため、例えば、ステンレスバネ鋼が好ましく、本実施形態では、ばね用ステンレス鋼帯＜ＪＩＳ  Ｇ  ４３１３＞のＳＵＳ３０４−ＣＳＰ１／２Ｈ、厚み０．２ｍｍを採用している。
【００３３】
次に、熱交換器吸熱部および熱交換器放熱部を循環ファンホルダに取り付けた後の外観について説明する。図１４は、熱交換器吸熱部および熱交換器放熱部を循環ファンホルダに取り付けた後の外観を示す斜視図である。図１５は、図１４の熱交換器吸熱部および熱交換器放熱部を循環ファンホルダに取り付けた後の外観を矢印Ｓ方向から見た斜視図である。
【００３４】
図１４、図１５に示すように、熱交換器吸熱部１７１と、循環ファンホルダ１８１とは、金属接続バネ１１、１２を用いて接続される。図１５に示すように、熱交換器吸熱部１７１の裏面は、循環ファンホルダ１８１の開口部（Ｎ部分）（図１３Ｂ）において、循環ファンホルダ１８１の逆付け防止用リブ４７と金属接続バネ１１、１２の逆付け防止用開口２７とが嵌った状態にある。また、金属接続バネ１１、１２の第三曲げ部２３が、防塵筐体底面部１４９にバネ接触するように突出した状態にある。
【００３５】
プロジェクター１００の装置筐体１０３の内部に空気が流入する際、空気と共に塵埃も装置筐体１０３の内部に流入する。装置筐体１０３の内部に塵埃が入り込み、当該塵埃が光学部材に付着すると、プロジェクター１００の輝度の低下、色斑などの現象が発生してしまう。この場合、プロジェクター１００の光学性能を維持することができなくなる。
そこで、装置筐体１０３の内部への塵埃の流入を防ぐため、吸気口１２０（図６）に防塵フィルターを設けることが行われている。装置筐体１０３の外部から流入した空気は防塵フィルターを通過し、塵埃が除去される。塵埃が除去された後の空気が熱に弱い電子部品に送風されることで、電子部品が冷却され、熱源から発せられる熱が抑制される。
【００３６】
防塵フィルターの塵埃除去性能は、フィルターの目が細かくなるほど高くなる。塵埃除去性能を高めるために目が細かい防塵フィルターを用いた場合、フィルターの目詰まりが起こり易くなる。また、熱に弱い電子部品を冷却するために大きな風量が必要な場合、防塵フィルターを通過する空気の流量が大きくなるため、フィルターの目詰まりが起こり易くなる。フィルターが目詰まりした場合、装置筐体１０３の外部から取り込まれる空気の量が減少し、熱に弱い電子部品に送られる風量が少なくなる。そのため、電子部品の温度が上昇し、当該電子部品の劣化が進行する。最悪の場合、プロジェクター１００の故障を招くおそれがある。
除塵フィルターを介して塵埃を除去した空気を流入させることで、熱に弱い電子部品を冷却することも行われているが、塵埃の流入を完全に除去することはできない。このため、時間が経過するに伴い、光学部材に対してより多くの塵埃が付着することになる。その結果、プロジェクター１００の輝度の低下やプロジェクター１００の内部の温度上昇を招き、プロジェクター１００の性能を維持できなくなるという問題がある。
【００３７】
光学部材に対する塵埃の付着を回避する方法として、次に述べるような方法が知られている。
まず、塵埃除去性能が高い除塵フィルターや多層フィルターを使用する方法では、塵埃の流入を低下させることができる。しかしながら、塵埃除去性能が高い除塵フィルターや多層フィルターは、フィルターを通過する空気にとっては抵抗となってしまう。この場合、プロジェクター１００の内部の電子部品を冷却するためには、より多くの風量が必要となる。そのため、ファンの回転速度を高めたり、ファンの数量を増したり、ファンのサイズを大きくしたりする必要がある。その結果、ファンの回転速度の増加に伴い騒音が発生するという問題や、ファンの数量の増加、ファンのサイズの大型化に伴い、プロジェクター１００のサイズが大きくなるという問題が生じる。
【００３８】
次に、光学部材の周囲を囲む密閉空間を構成し、当該密閉空間内に流体を循環させることで光学部材を冷却する方法が知られている。この方法では、当該密閉空間の内部と外部との互いに対向する位置に設けた熱交換器を用いて、当該密閉空間内の熱を外部に放出している。しかしながら、この方法では、熱電変換素子や流体を駆動するための手段が必要になる。したがって、冷却に要するための消費電力が増加すると共に、プロジェクター１００のサイズが大きくなるという問題がある。
【００３９】
本実施形態によるプロジェクター１００は、図６において説明したように、塵埃などの侵入を防いだ防塵筐体１４５の内部で循環ファン１８２を用いて空気を循環させることで、液晶パネル、偏光板、偏光変換素子などの発熱する光学部品を冷却している。そして、プロジェクター１００は、以下のような構造を有している。
【００４０】
プロジェクター１００は、防塵筐体１４５の内部の熱を吸収する熱交換器吸熱部１７０から防塵筐体１４５の外部へ移動させる熱交換器ヒートパイプ１８０を有している。また、プロジェクター１００は、熱交換器ヒートパイプ１８０を介して伝導された熱交換器吸熱部１７０が吸収した熱を、装置筐体１０３の外部へ放出する熱交換器放熱部１５０を有している。
そして、プロジェクター１００は、循環ファンホルダ１８１に固定した上下に曲げ部を有する金属バネ１１、１２を用いることで、熱交換器吸熱部１７０を、防塵筐体底面部１４９を介してアース１９５に接地されたシールド板金１９６に接続している。また、熱交換器ヒートパイプ１８０を介して伝導された熱を装置筐体１０３の外部へ放出する熱交換器放熱部１５０を、金属バネ１３、１４を用いることでアース１９５に接地されたシールド板金１９６に接続している。
【００４１】
このような構成を採用することで、プロジェクター１００の周辺に配置されている電子機器から発せられる電磁波ノイズの受信を抑制することが可能なプロジェクターを得ることができるのである。
さらに、消費電力を増加させることなく小型化が可能なプロジェクターを得ることができるという付加的な効果も有する。
なお、本発明は、液晶方式のプロジェクターだけでなく、反射型表示素子のＤＭＤ（Digital Micromirror Device）を使用する光学系を有するプロジェクターにも適用可能である。
【００４２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００４３】
１０    電子機器
１１、１２、１３、１４    金属接続バネ
２１    第一曲げ部
２２、２４    第二曲げ部
２３    第三曲げ部
２５、２６    位置決めエンボス部
２７    逆付け防止用開口
４３    バネ逃げ部
４５、４６    位置決め開口
４７    逆付け防止用リブ
５１    熱源
５２    接地部
５３    熱交換部
５４    グラウンド
１００    プロジェクター
１０１、１０２、１０３    装置筐体
１０５    装置筐体底面部
１１０、１１１、１１２、１１３    排気口
１２０、１２１、１２２、１２３    吸気口
１３２    投写レンズ
１４０、１４１、１４２    放熱ファン
１４３、１４４、１４５    防塵筐体
１４６    循環ファン通電ケーブル
１４７    液晶パネル通電ケーブル
１４８    送風ダクト
１４９    防塵筐体底面部
１５０、１５１、１５２    熱交換器放熱部
１６０、１６１    制御基板
１７０、１７１    熱交換器吸熱部
１８０    熱交換器ヒートパイプ
１８１    循環ファンホルダ
１８２    循環ファン
１８３    合成プリズム
１８４    液晶パネル
１８５    光学エンジン
１８６    液晶パネル部
１９１、１９２、１９３、１９４    金属接続
１９５    アース
１９６    シールド板金
１９９    ヒートパイプ保持部
【図１】
2019204052.tif 000003
【図２Ａ】
2019204052.tif 000004
【図２Ｂ】
2019204052.tif 000005
【図３】
2019204052.tif 000006
【図４】
2019204052.tif 000007
【図５】
2019204052.tif 000008
【図６】
2019204052.tif 000009
【図７Ａ】
2019204052.tif 000010
【図７Ｂ】
2019204052.tif 000011
【図７Ｃ】
2019204052.tif 000012
【図８】
2019204052.tif 000013
【図９】
2019204052.tif 000014
【図１０】
2019204052.tif 000015
【図１１】
2019204052.tif 000016
【図１２Ａ】
2019204052.tif 000017
【図１２Ｂ】
2019204052.tif 000018
【図１３Ａ】
2019204052.tif 000019
【図１３Ｂ】
2019204052.tif 000020
【図１４】
2019204052.tif 000021
【図１５】
2019204052.tif 000022